(57)【要約】    【課題】  光ディスクのＰＭＡ領域に記録されているトラックのアドレス情報が再生エラーによって再生できなかったときに、該再生できなかったトラックの開始時間および終了時間を正確に復元する。    【解決手段】  光ディスク１０のＰＭＡ領域に記録されているトラックのアドレス情報が再生エラーによって再生できなかったときに、再生できなかったトラックのアドレス情報のうちの、トラックの開始時間を、光ディスクのリードイン領域に記録されているＴＯＣ情報内のトラックの開始時間を取得して復元し、トラックの終了位置を、再生できなかったトラックとその直後のトラックとの境界のサブコードＱデータを取得して復元する復元手段２７を備えたことを特徴とする。【選択図】  図１
2005216397.tif 000002
【特許請求の範囲】
【請求項１】
光ディスクのプログラム領域に情報を記録および再生する情報記録再生装置において、前記光ディスクのＰＭＡ領域に記録されているトラックのアドレス情報が再生エラーによって再生できなかったときに、該再生できなかったトラックのアドレス情報のうちの、トラックの開始時間を、前記光ディスクのリードイン領域に記録されているＴＯＣ情報内のトラックの開始時間を取得して復元し、トラックの終了位置を、該再生できなかったトラックとその直後のトラックとの境界のサブコードＱデータを取得して復元する復元手段を備えたことを特徴とする情報記録再生装置。
【請求項２】
上書き可能な光ディスクのプログラム領域に情報を記録および再生する情報記録再生装置において、前記光ディスクのＰＭＡ領域に記録されているトラックのアドレス情報が再生エラーによって再生できなかったときに、該再生できなかったトラックのアドレス情報のうちの、トラックの開始時間を、前記光ディスクのリードイン領域に記録されているＴＯＣ情報内のトラックの開始時間を取得して復元し、トラックの終了位置を、該再生できなかったトラックとその直後のトラックとの境界のサブコードＱデータを取得して復元し、復元したトラックの開始時間および終了時間を、前記光ディスクのＰＭＡ領域に上書きする手段を備えたことを特徴とする情報記録再生装置。
【請求項３】
上書き可能な光ディスクのプログラム領域に情報を記録および再生する情報記録再生装置において、前記光ディスクのＰＭＡ領域に記録されているトラックのアドレス情報が再生エラーによって再生できなかったときに、該再生できなかったトラックのアドレス情報のうちの、トラックの開始時間を、前記光ディスクのリードイン領域に記録されているＴＯＣ情報内のトラックの開始時間を取得して復元し、トラックの終了位置を、該再生できなかったトラックとその直後のトラックとの境界のサブコードＱデータを取得して復元し、復元したトラックの開始時間および終了時間と、前記光ディスクのＰＭＡ領域に記録されているトラックのアドレス情報が再生できたときの該トラックのアドレス情報とを、前記光ディスクのＰＭＡ領域に上書きする手段を備えたことを特徴とする情報記録再生装置。
【発明の詳細な説明】
【技術分野】
【０００１】
本発明は、光ディスクのＰＭＡ領域に記録されているトラックのアドレス情報が再生エラーによって再生できなかったときの当該トラックの開始時間および終了時間の復元技術に関する。
【背景技術】
【０００２】
一枚の光ディスクを各社各種の情報記録再生装置を使って情報を次々に追記記録していくと、各情報記録再生装置の記録特性の違いなどから、光ディスクのＰＭＡ領域（Program Memory Area）などの記録状態が均一でない状態になることがある。このように記録された光ディスクは、再生のときＰＭＡ領域の再生で再生エラーが発生する可能性が高い。ＰＭＡ領域には、トラックへの情報記録の終了時またはそのトラックへの情報記録前に、トラックの開始時間や終了時間などのトラックのアドレス情報が記録される。
【０００３】
そして、再生または追記記録のときはそのＰＭＡ領域に存在するトラックのアドレス情報を収集することによって光ディスク上の全トラックのアドレス情報を把握し、そのアドレス情報に基づいてトラックの再生または追記記録を行なう。したがって、ＰＭＡ領域の再生が再生エラーとなってＰＭＡ領域のデータが得られないと、その後の情報の再生や追記記録ができなくなってしまう。
【０００４】
ＣＤ−Ｒ（ライトワンスＣＤ）ディスクドライブ装置において、ＣＤ−ＲディスクのＰＭＡ領域に記録されているアドレス情報が再生できなかったとき、前記ＣＤ−Ｒディスクのリードイン領域（Lead-In Area）に記録されているＴＯＣ（Table of Contents）情報をコピーし、記録されているトラックの開始時間から再生できなかった当該トラックの開始時間と終了時間を計算してアドレス情報を生成する技術がすでに特許文献で公開されている（例えば、特許文献１参照）。
【０００５】
【特許文献１】特開平９−５５０３３号公報
【発明の開示】
【発明が解決しようとする課題】
【０００６】
しかしながら、どのようにして、記録されているトラックの開始時間から再生できなかった当該トラックの終了時間を復元するかについては何らふれていない。
【０００７】
ここで、現実の光ディスクの各領域のレイアウトについて説明する。
【０００８】
図３は、光ディスクの各領域のレイアウトの一例を示す図である。一般的に光ディスクの記録面は、最内周より最外周に向けて構成された、ＰＣＡ領域（Power Calibration Area）３１、ＰＭＡ領域（Program Memory Area）３２、リードイン領域（Lead-In Area）３３、トラック１領域３４、トラック２領域３５、リードアウト領域（Lead-Out Area）３６の各領域からなる。リードイン領域（Lead-In Area）３３からリードアウト領域（Lead-Out Area）３６までの領域がセッションとよばれ、トラック１領域３４とトラック２領域３５がプログラム領域（Program Area）とよばれる。
【０００９】
この各トラック１領域３４、トラック２領域３５は、その先頭部分にプリギャップと呼ばれる領域３４−１，３５−１を持っているが、ＰＭＡ領域（Program Memory Area）３２やリードイン領域（Lead-In Area）３３のＴＯＣ（Table of Contents）情報として記録されているトラックの開始時間は、このプリギャップ３４−１，３５−１の後のトラック１領域３４、トラック２領域３５の先頭時間を示している。またＴＯＣ（Table of Contents）情報には各トラック領域の終了時間は記録されていない。一方トラック１領域３４の終了位置は次のトラック２領域３５のプリギャップ３５−１の先頭位置に連続する。よって、プリギャップ３４−１，３５−１の長さが分かればトラック１領域３４，トラック２領域３５の終了時間を求めることができるが、ＴＯＣ（Table of Contents）情報にはプリギャップの長さを示す情報も無い。
【００１０】
したがって、トラックの終了時間をＴＯＣ（Table of Contents）情報から直接求めることはできない。
【００１１】
上記特許文献には、どのようにして、記録されているトラックの開始時間から再生できなかった当該トラックの終了時間を復元するかについては何らふれていないが、もし復元するとすれば、次のトラックの開始時間を再生できなかった当該トラックの終了時間とするか、次のトラックの開始時間から一定時間前の時間を再生できなかった当該トラックの終了時間とするかが考えられるが、いずれにしても再生できなかった当該トラックの終了時間を正確に復元することはできない。
【００１２】
次のトラックの開始時間を再生できなかった当該トラックの終了時間とすると、次のトラックのプリギャップまで再生してしまうことになり、また次のトラックの開始時間から一定時間前の時間を再生できなかった当該トラックの終了時間とすると、プリギャップの長さは一定でなくユーザがその長さを変えられる、前記一定時間の設定長さによっては当該トラックの最後まで再生しないで終了してしまうという現象が生じてしまう。
【００１３】
また上記特許文献は、ＣＤ−Ｒ（ライトワンスＣＤ）ディスクに限っての説明であり、それ以外の上書き可能な例えばＣＤ−ＲＷ（リライタブルＣＤ）ディスクについては何らふれていない。
【００１４】
本発明は、光ディスクのＰＭＡ領域に記録されているトラックのアドレス情報が再生エラーによって再生できなかったときに、該再生できなかったトラックの開始時間および終了時間を正確に復元する。また上書き可能な光ディスクにおいては、復元したトラックの開始時間および終了時間を該上書き可能な光ディスクのＰＭＡ領域に上書きして、トラックの開始時間および終了時間を正確に復元した上書き可能な光ディスクにする。このことにより、正確なトラックの開始時間およびストップ時間を復元する復元手段を備えていない情報記録再生装置でも、再生または追記記録が可能となる。
【００１５】
したがって、本発明の目的は、光ディスクのＰＭＡ領域に記録されているトラックのアドレス情報が再生エラーによって再生できなかったときに、該再生できなかったトラックの開始時間および終了時間を正確に復元する情報記録再生装置を提供することにある。
【００１６】
また本発明の他の目的は、復元したトラックの開始時間および終了時間を上書き可能な光ディスクのＰＭＡ領域に上書きする情報記録再生装置を提供することにある。
【課題を解決するための手段】
【００１７】
本発明は、光ディスクのプログラム領域に情報を記録および再生する情報記録再生装置において、前記光ディスクのＰＭＡ領域に記録されているトラックのアドレス情報が再生エラーによって再生できなかったときに、該再生できなかったトラックのアドレス情報のうちの、トラックの開始時間を、前記光ディスクのリードイン領域に記録されているＴＯＣ情報内のトラックの開始時間を取得して復元し、トラックの終了位置を、該再生できなかったトラックとその直後のトラックとの境界のサブコードＱデータを取得して復元する復元手段を備えたことを特徴とする。
【００１８】
また本発明は、上書き可能な光ディスクのプログラム領域に情報を記録および再生する情報記録再生装置において、前記光ディスクのＰＭＡ領域に記録されているトラックのアドレス情報が再生エラーによって再生できなかったときに、該再生できなかったトラックのアドレス情報のうちの、トラックの開始時間を、前記光ディスクのリードイン領域に記録されているＴＯＣ情報内のトラックの開始時間を取得して復元し、トラックの終了位置を、該再生できなかったトラックとその直後のトラックとの境界のサブコードＱデータを取得して復元し、復元したトラックの開始時間および終了時間を、前記光ディスクのＰＭＡ領域に上書きする手段を備えたことを特徴とする。
【００１９】
また本発明は、上書き可能な光ディスクのプログラム領域に情報を記録および再生する情報記録再生装置において、前記光ディスクのＰＭＡ領域に記録されているトラックのアドレス情報が再生エラーによって再生できなかったときに、該再生できなかったトラックのアドレス情報のうちの、トラックの開始時間を、前記光ディスクのリードイン領域に記録されているＴＯＣ情報内のトラックの開始時間を取得して復元し、トラックの終了位置を、該再生できなかったトラックとその直後のトラックとの境界のサブコードＱデータを取得して復元し、復元したトラックの開始時間および終了時間と、前記光ディスクのＰＭＡ領域に記録されているトラックのアドレス情報が再生できたときの該トラックのアドレス情報とを、前記光ディスクのＰＭＡ領域に上書きする手段を備えたことを特徴とする。
【発明の効果】
【００２０】
本発明によれば、光ディスクのＰＭＡ領域に記録されているトラックのアドレス情報が再生エラーによって再生できなかったときに、該再生できなかったトラックの開始時間および終了時間を正確に復元する情報記録再生装置を得ることができる。また本発明によれば、復元したトラックの開始時間および終了時間を上書き可能な光ディスクのＰＭＡ領域に上書きする情報記録再生装置を得ることができる。
【発明を実施するための最良の形態】
【００２１】
以下、図面に基づき本発明による実施の形態について説明する。
【００２２】
図１は、本発明による光ディスク装置の実施の形態であるＣＤ−ＲＷドライブ装置の概略構成を示すブロック図である。
【００２３】
図１において、ＣＤ−ＲＷ規格の上書き可能な光ディスク１０に対するＣＤ−ＲＷドライブ装置２０は、光学ヘッド２１、光学ヘッド送り機構２２、ＲＦアンプ２３、デコーダ２４、外部インタフェース２５、バッファメモリ２６、システムコントローラ２７、エンコーダ２８、レーザ駆動回路２９、スピンドルモータ３０から構成されている。そしてＣＤ−ＲＷドライブ装置２０は、外部インタフェース２５を介してホストコンピュータ４０に接続され、ホストコンピュータ４０から入力される情報をＣＤ−ＲＷ規格の書き込み可能な光ディスク１０に記録すると共に、光ディスク１０から再生した情報をホストコンピュータ４０へ出力する。
【００２４】
スピンドルモータ３０は光ディスク１０を回転駆動する。
【００２５】
光学ヘッド２１は、光ディスク１０から記録情報を再生する再生動作時には、光ディスク１０に対して弱いレーザビームを照射し、そのレーザビームの反射光により、光ディスク１０に既に記録されている記録情報を再生し、当該記録情報に対応するＲＦ信号を出力する。また、光学ヘッド２１は、光ディスク１０に記録情報を記録する記録動作時には、光ディスク１０に対して再生時より強いレーザビームを照射することにより、レーザ光熱による相変化により記録層に記録ピットを形成し、記録層の反射率を変化させて記録情報を記録する。
【００２６】
光学ヘッド送り機構２２は、光学ヘッド２１を搭載して光ディスク１０の最内周から最外周まで移動する。
【００２７】
ＲＦアンプ２３は、光学ヘッド２１の出力するＲＦ信号を増幅し、そのＲＦ信号を２値化してデジタルデータとして出力する。
【００２８】
デコーダ２４は、ＲＦアンプ２３から出力されるデジタルデータをＣＤフォーマットおよびＣＤ−ＲＯＭフォーマットに従って復調し、データエラー訂正およびエラー検出を行ないバッファメモリ２６に一時記録する。
【００２９】
外部インタフェース２５は、接続されるホストコンピュータ４０とＣＤ−ＲＷドライブ装置２０との情報の受け渡しを制御する。
【００３０】
バッファメモリ２６は、ホストコンピュータ４０から外部インタフェース２５を介して入力される、光ディスク１０への記録情報も一時記憶する。
【００３１】
エンコーダ２８は、バッファメモリ２６に一時記憶された、ホストコンピュータ４０からの入力情報をＣＤ−ＲＯＭフォーマットおよびＣＤフォーマットに従って変調する。
【００３２】
レーザ駆動回路２９は、光学ヘッド２１のレーザ光源を駆動するための駆動信号を出力する。
【００３３】
システムコントローラ２７は、ＣＤ−ＲＷドライブ装置２０の全動作を制御するＣＰＵであり、光学ヘッド送り機構２２、デコーダ２４、エンコーダ２８、外部インタフェース２５の動作制御などを行なう。また、バッファメモリ２６に一時記憶された情報の読み込み、およびバッファメモリ２６への情報の書き込みを行なう。
【００３４】
システムコントローラ２７は、例えば再生の指令を受けたとき、光学ヘッド送り機構２２に指示して、光学ヘッド２１を、光ディスク１０のＰＭＡ領域に対向する位置まで移動させ、光学ヘッド２１で光ディスク１０のＰＭＡ領域に記録されているトラックのアドレス情報を再生してＲＦ信号を出力し、ＲＦアンプ２３で増幅してデジタルデータとして出力し、デコーダ２４でデジタルデータを復調して出力する。
本発明に係る光ディスク１０のＰＭＡ領域に記録されているトラックのアドレス情報が再生できたか、または再生エラーによって再生できなかったかは、システムコントローラ２７がデコーダ２４の出力をみて、判断する。
【００３５】
ここで、光ディスク１０のＰＭＡ領域に記録されているトラックのアドレス情報が再生エラーによって再生できなかったときには、図２に示す動作を、システムコントローラ２７などが実行して、再生できなかった当該トラックのアドレス情報のうちの、トラックの開始時間および終了時間を正確に取得して復元する。以下、図２の動作について説明する。
【００３６】
図２において、ステップ２０１では、システムコントローラ２７は、光学ヘッド送り機構２２に指示して、光学ヘッド２１を、光ディスク１０のリードイン領域３３に対向する位置まで移動させ、光学ヘッド２１で光ディスク１０のリードイン領域に記録されているＴＯＣ情報内のトラックの開始時間を取得して復元し、記憶する。
【００３７】
ステップ２０２では、システムコントローラ２７は、再生できなかった当該トラックが当該トラックを含むセッションの最終トラック（図３ではトラック２が該当する）かを判断する。最終トラックでない場合は、ステップ２０３で、システムコントローラ２７は、ＴＯＣ情報内の次のトラックの開始時間を取得して、ステップ２０５に進む。
【００３８】
ステップ２０２で最終トラックの場合は、ステップ２０４で、システムコントローラ２７は、ＴＯＣ情報内の当該セッションのリードアウト領域３６の開始時間を取得して、ステップ２０５に進む。
【００３９】
ステップ２０５では、システムコントローラ２７は、光学ヘッド送り機構２２に指示して、ステップ２０３で取得した開始時間より少し手前の時間に相当する位置まで光学ヘッド２１を移動させる。
【００４０】
ステップ２０５では、システムコントローラ２７は、光学ヘッド送り機構２２に指示して、光学ヘッド２１をステップ２０３で取得した開始時間に相当する位置に向かって移動させる。
ステップ２０６では、光学ヘッド２１で、光ディスク１０のトラック全体にわたって記録されているサブコードＱ情報を再生し、ＲＦアンプ２３で増幅しデコーダ２４で復調して出力する。
【００４１】
ステップ２０７では、システムコントローラ２７は、デコーダ２４の出力をみて、再生できなかった当該トラックから次のトラック、もしくはリードアウト領域３６に切り替わったかを判断する。
ステップ２０７で切り替わらない場合はステップ２０６に戻り、切り替わった場合は、ステップ２０８で、システムコントローラ２７は、切り替わった時点でのサブコードＱ情報にある時間情報を取得して、当該トラックの終了時間として復元し、記憶する。
【００４２】
このようにして、光ディスクのＰＭＡ領域に記録されているトラックのアドレス情報が再生エラーによって再生できなかったときに、該再生できなかったトラックの開始時間および終了時間を正確に復元することができる。
【００４３】
また本実施の形態の光ディスク１０はＣＤ−ＲＷ規格の上書き可能な光ディスクなので、その場合は、ステップ２０８に続いて図示していないが、システムコントローラ２７は、エンコーダ２８に指示して、復元したトラックの開始時間および終了時間を、レーザ駆動回路２９および光学ヘッド２１を介して、光ディスク１０のＰＭＡ領域に上書きする。
【００４４】
また、光ディスク１０のＰＭＡ領域に記録されているトラックのアドレス情報が再生できたときのトラックのアドレス情報を記憶しておいて、再生エラーによって再生できなかったときの当該トラックの開始時間および終了時間を正確に復元したとき、トラックのアドレス情報が再生できたときのトラックのアドレス情報と復元した当該トラックの開始時間および終了時間とをあわせて、光ディスク１０のＰＭＡ領域全域に上書きすることもでき、この場合の方がトラックの開始時間および終了時間を光ディスク１０上に簡単にかつ正確に復元することができる。
【００４５】
このことにより、正確なトラックの開始時間およびストップ時間を復元する復元手段を備えていない情報記録再生装置でも、再生または追記記録ができるようになり、便利である。
【図面の簡単な説明】
【００４６】
【図１】本発明による光ディスク装置の実施の形態であるＣＤ−ＲＷドライブ装置の概略構成を示すブロック図である。
【図２】本発明に係る光ディスクのＰＭＡ領域に記録されているトラックのアドレス情報が再生エラーによって再生できなかったときの、復元動作フローを示す図である。
【図３】光ディスクの各領域のレイアウトの一例を示す図である。
【符号の説明】
【００４７】
１０…ＣＤ−ＲＷ規格の上書き可能な光ディスク、２０…ＣＤ−ＲＷドライブ装置、２１…光学ヘッド、２２…光学ヘッド送り機構、２３…ＲＦアンプ、２４…デコーダ、２５…外部インタフェース、２６…バッファメモリ、２７…システムコントローラ、２８…エンコーダ、２９…レーザ駆動回路、３０…スピンドルモータ、４０…ホストコンピュータ。
【図１】
2005216397.tif 000003
【図２】
2005216397.tif 000004
【図３】
2005216397.tif 000005